(57)【要約】  第１の基地局と、前記第１の基地局よりもカバレッジエリアの狭い第２の基地局と、を有する移動通信システムにおける通信制御方法は、前記第２の基地局が、自局の参照信号送信電力を前記第１の基地局に通知するステップＡと、前記第１の基地局に接続するユーザ端末が、前記第２の基地局からの参照信号受信電力を測定した後、前記参照信号受信電力を前記第１の基地局に報告するステップＢと、前記第１の基地局が、前記ステップＡで前記第２の基地局から通知された前記参照信号送信電力と、前記ステップＢで前記ユーザ端末から報告された前記参照信号受信電力と、に基づいて、前記第２の基地局と前記ユーザ端末との間の伝搬損失を推定するステップＣと、を有する。
2013065840.tif 000002
【特許請求の範囲】
【請求項１】
第１の基地局と、前記第１の基地局よりもカバレッジエリアの狭い第２の基地局と、を有する移動通信システムにおける通信制御方法であって、
前記第２の基地局が、自局の参照信号送信電力を前記第１の基地局に通知するステップＡと、
前記第１の基地局に接続するユーザ端末が、前記第２の基地局からの参照信号受信電力を測定した後、前記参照信号受信電力を前記第１の基地局に報告するステップＢと、
前記第１の基地局が、前記ステップＡで前記第２の基地局から通知された前記参照信号送信電力と、前記ステップＢで前記ユーザ端末から報告された前記参照信号受信電力と、に基づいて、前記第２の基地局と前記ユーザ端末との間の伝搬損失を推定するステップＣと、
を有することを特徴とする通信制御方法。
【請求項２】
移動通信システムにおいて参照信号を送信する基地局であって、
自局の参照信号送信電力を隣接基地局に通知する第１の通知部を有することを特徴とする基地局。
【請求項３】
自局の上りリンク干渉レベルを前記隣接基地局に通知する第２の通知部をさらに有し、
前記第１の通知部は、前記第２の通知部が前記上りリンク干渉レベルを前記隣接基地局に通知する際に、前記参照信号送信電力を前記隣接基地局に通知することを特徴とする請求項２に記載の基地局。
【請求項４】
第１の基地局と、前記第１の基地局よりもカバレッジエリアの狭い第２の基地局と、を有する移動通信システムにおける通信制御方法であって、
前記第２の基地局が、自局の参照信号送信電力を含むシステム情報をブロードキャストで送信するステップＡと、
前記第１の基地局が、自局に接続するユーザ端末に対し、前記システム情報に含まれる前記参照信号送信電力の報告を要求するステップＢと、
前記ユーザ端末が、前記第２の基地局からの参照信号受信電力を測定し、前記システム情報に含まれる前記参照信号送信電力を取得した後、前記参照信号受信電力及び前記参照信号送信電力を前記第１の基地局に報告するステップＣと、
前記第１の基地局が、前記ステップＣで前記ユーザ端末から報告された前記参照信号受信電力及び前記参照信号送信電力に基づいて、前記第２の基地局と前記ユーザ端末との間の伝搬損失を推定するステップＤと、
を有することを特徴とする通信制御方法。
【請求項５】
移動通信システムにおける基地局であって、
自局に接続するユーザ端末に対し、他の基地局がブロードキャストで送信するシステム情報に含まれる参照信号送信電力の報告を要求する要求部と、
前記ユーザ端末から報告される前記参照信号送信電力と、前記ユーザ端末から報告される前記他の基地局からの参照信号受信電力と、を受信する受信部と、
を有することを特徴とする基地局。
【請求項６】
移動通信システムにおけるユーザ端末であって、
第１の基地局から、第２の基地局がブロードキャストで送信するシステム情報に含まれる参照信号送信電力の報告要求を受信する受信部と、
前記第２の基地局からの参照信号受信電力を測定し、前記システム情報に含まれる前記参照信号送信電力を取得した後、前記参照信号受信電力及び前記参照信号送信電力を前記第１の基地局に報告する報告部と、
を有することを特徴とするユーザ端末。
【請求項７】
第１の基地局と、前記第１の基地局よりもカバレッジエリアの狭い第２の基地局と、を有する移動通信システムにおける通信制御方法であって、
前記第２の基地局が、自局の参照信号送信電力を含むシステム情報をブロードキャストで送信するステップＡと、
前記第１の基地局が、自局に接続するユーザ端末に対し、前記第２の基地局と前記ユーザ端末との間の伝搬損失の報告を要求するステップＢと、
前記ユーザ端末が、前記第２の基地局からの参照信号受信電力を測定し、前記システム情報に含まれる前記参照信号送信電力を取得した後、前記参照信号受信電力及び前記参照信号送信電力に基づいて推定される前記伝搬損失を前記第１の基地局に報告するステップＣと、
を有することを特徴とする通信制御方法。
【請求項８】
移動通信システムにおける基地局であって、
自局に接続するユーザ端末に対し、他の基地局と前記ユーザ端末との間の伝搬損失の報告を要求する要求部と、
前記他の基地局からの参照信号受信電力を測定し且つ前記他の基地局からのシステム情報に含まれる参照信号送信電力を取得した前記ユーザ端末において推定された前記伝搬損失を、前記ユーザ端末から受信する受信部と、
を有することを特徴とする基地局。
【請求項９】
移動通信システムにおけるユーザ端末であって、
第１の基地局から、第２の基地局と自端末との間の伝搬損失の報告要求を受信する受信部と、
前記第２の基地局からの参照信号受信電力を測定し、前記第２の基地局からのシステム情報に含まれる参照信号送信電力を取得した後、前記参照信号受信電力及び前記参照信号送信電力に基づいて推定される前記伝搬損失を前記第１の基地局に報告する報告部と、
を有することを特徴とするユーザ端末。
【請求項１０】
第１の基地局と、前記第１の基地局よりもカバレッジエリアの狭い第２の基地局と、前記第１の基地局及び前記第２の基地局を管理する管理装置と、を有する移動通信システムにおける通信制御方法であって、
前記第１の基地局が、前記第２の基地局の参照信号送信電力を前記管理装置から取得するステップＡと、
前記第１の基地局に接続するユーザ端末が、前記第２の基地局からの参照信号受信電力を測定した後、前記参照信号受信電力を前記第１の基地局に報告するステップＢと、
前記第１の基地局が、前記ステップＡで前記管理装置から取得した前記参照信号送信電力と、前記ステップＢで前記ユーザ端末から報告された前記参照信号受信電力と、に基づいて、前記第２の基地局と前記ユーザ端末との間の伝搬損失を推定するステップＣと、
を有することを特徴とする通信制御方法。
【請求項１１】
移動通信システムにおける基地局であって、
他の基地局の参照信号送信電力を管理装置から取得する取得部と、
前記管理装置から取得した前記参照信号送信電力と、ユーザ端末から報告される前記他の基地局からの参照信号受信電力と、に基づいて、前記他の基地局と前記ユーザ端末との間の伝搬損失を推定する推定部と、
を有することを特徴とする基地局。
【発明の詳細な説明】
【技術分野】
【０００１】
本発明は、移動通信システムにおける通信制御方法、基地局、及びユーザ端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）は、３ＧＰＰリリース１０以降において、ＬＴＥ（Ｌｏｎｇ  Ｔｅｒｍ  Ｅｖｏｌｕｔｉｏｎ）を高度化したＬＴＥ  Ａｄｖａｎｃｅｄの標準化を進めている（例えば、非特許文献１参照）。【０００３】
ＬＴＥ−Ａｄｖａｎｃｅｄでは、高電力基地局（いわゆる、マクロ基地局）のカバレッジエリアに低電力基地局（いわゆる、ピコ基地局やホーム基地局）が配置されるヘテロジーニアスネットワークの提供が検討されている。ヘテロジーニアスネットワークは、高電力基地局の負荷を低電力基地局に分散させることが可能である。【０００４】
また、ＬＴＥ  Ａｄｖａｎｃｅｄは、ＬＴＥとの後方互換性を確保しながら広帯域化を実現すべく、ＬＴＥにおけるキャリア（周波数帯）をコンポーネントキャリア（ＣＣ）と位置付け、複数のキャリアを組み合わせて無線通信に使用するキャリアアグリゲーション技術が導入される。
【先行技術文献】
【非特許文献】
【０００５】
【非特許文献１】３ＧＰＰ  ＴＳ  ３６．３００  ｖ１０．４．０
【発明の概要】
【０００６】
ヘテロジーニアスネットワークでは、高電力基地局と低電力基地局とが同一のキャリアを使用する場合に、高電力基地局に接続するユーザ端末が低電力基地局のカバレッジエリア端周辺に居ると、当該低電力基地局が当該ユーザ端末からの上りリンク干渉を受けることがある。
【０００７】
ここで、高電力基地局が、自局に接続するユーザ端末からのメジャメントレポートに基づいて、自局以外の他の基地局に対して一定レベル以上の参照信号受信電力（Ｒｅｆｅｒｅｎｃｅ  Ｓｉｇｎａｌ  Ｒｅｃｅｉｖｅｄ  Ｐｏｗｅｒ：ＲＳＲＰ）を測定したユーザ端末を干渉源として推定し、当該干渉源のユーザ端末を他のキャリアにハンドオーバするなどによって、当該上りリンク干渉の解決を図ることが検討されている。このようなＲＳＲＰに基づく干渉源推定方法は、高電力基地局が、他の基地局に対して一定レベル以上のＲＳＲＰを測定したユーザ端末を、当該他の基地局に近接していると見なして、干渉源と推定するものである。
【０００８】
しかしながら、当該他の基地局が低電力基地局である場合、当該他の基地局の参照信号送信電力（Ｒｅｆｅｒｅｎｃｅ  Ｓｉｇｎａｌ  Ｔｘ  Ｐｏｗｅｒ：ＲＳＴＰ）が低いため、ユーザ端末が一定レベル以上のＲＳＲＰを測定した時点で、当該他の基地局に近接しすぎていることがある。したがって、ＲＳＲＰに基づく干渉源推定方法は、干渉源の推定精度が低いという問題があった。
【０００９】
そこで、本発明は、上りリンク干渉の干渉源の推定精度を向上させることができる通信制御方法、基地局、及びユーザ端末を提供する。
【００１０】
本発明に係る通信制御方法は、第１の基地局と、前記第１の基地局よりもカバレッジエリアの狭い第２の基地局と、を有する移動通信システムにおける通信制御方法であって、前記第２の基地局が、自局の参照信号送信電力を前記第１の基地局に通知するステップＡと、前記第１の基地局に接続するユーザ端末が、前記第２の基地局からの参照信号受信電力を測定した後、前記参照信号受信電力を前記第１の基地局に報告するステップＢと、前記第１の基地局が、前記ステップＡで前記第２の基地局から通知された前記参照信号送信電力と、前記ステップＢで前記ユーザ端末から報告された前記参照信号受信電力と、に基づいて、前記第２の基地局と前記ユーザ端末との間の伝搬損失を推定するステップＣと、を有する。
【００１１】
本発明に係る基地局は、移動通信システムにおいて参照信号を送信する基地局であって、自局の参照信号送信電力を隣接基地局に通知する第１の通知部を有する。
【００１２】
本発明に係る基地局は、自局の上りリンク干渉レベルを前記隣接基地局に通知する第２の通知部をさらに有し、前記第１の通知部は、前記第２の通知部が前記上りリンク干渉レベルを前記隣接基地局に通知する際に、前記参照信号送信電力を前記隣接基地局に通知する。
【００１３】
本発明に係る通信制御方法は、第１の基地局と、前記第１の基地局よりもカバレッジエリアの狭い第２の基地局と、を有する移動通信システムにおける通信制御方法であって、前記第２の基地局が、自局の参照信号送信電力を含むシステム情報をブロードキャストで送信するステップＡと、前記第１の基地局が、自局に接続するユーザ端末に対し、前記システム情報に含まれる前記参照信号送信電力の報告を要求するステップＢと、前記ユーザ端末が、前記第２の基地局からの参照信号受信電力を測定し、前記システム情報に含まれる前記参照信号送信電力を取得した後、前記参照信号受信電力及び前記参照信号送信電力を前記第１の基地局に報告するステップＣと、前記第１の基地局が、前記ステップＣで前記ユーザ端末から報告された前記参照信号受信電力及び前記参照信号送信電力に基づいて、前記第２の基地局と前記ユーザ端末との間の伝搬損失を推定するステップＤと、を有する。
【００１４】
本発明に係る基地局は、移動通信システムにおける基地局であって、自局に接続するユーザ端末に対し、他の基地局がブロードキャストで送信するシステム情報に含まれる参照信号送信電力の報告を要求する要求部と、前記ユーザ端末から報告される前記参照信号送信電力と、前記ユーザ端末から報告される前記他の基地局からの参照信号受信電力と、を受信する受信部と、を有する。
【００１５】
本発明に係るユーザ端末は、移動通信システムにおけるユーザ端末であって、第１の基地局から、第２の基地局がブロードキャストで送信するシステム情報に含まれる参照信号送信電力の報告要求を受信する受信部と、前記第２の基地局からの参照信号受信電力を測定し、前記システム情報に含まれる前記参照信号送信電力を取得した後、前記参照信号受信電力及び前記参照信号送信電力を前記第１の基地局に報告する報告部と、を有する。
【００１６】
本発明に係る通信制御方法は、第１の基地局と、前記第１の基地局よりもカバレッジエリアの狭い第２の基地局と、を有する移動通信システムにおける通信制御方法であって、前記第２の基地局が、自局の参照信号送信電力を含むシステム情報をブロードキャストで送信するステップＡと、前記第１の基地局が、自局に接続するユーザ端末に対し、前記第２の基地局と前記ユーザ端末との間の伝搬損失の報告を要求するステップＢと、前記ユーザ端末が、前記第２の基地局からの参照信号受信電力を測定し、前記システム情報に含まれる前記参照信号送信電力を取得した後、前記参照信号受信電力及び前記参照信号送信電力に基づいて推定される前記伝搬損失を前記第１の基地局に報告するステップＣと、を有する。
【００１７】
本発明に係る基地局は、移動通信システムにおける基地局であって、自局に接続するユーザ端末に対し、他の基地局と前記ユーザ端末との間の伝搬損失の報告を要求する要求部と、前記他の基地局からの参照信号受信電力を測定し且つ前記他の基地局からのシステム情報に含まれる参照信号送信電力を取得した前記ユーザ端末において推定された前記伝搬損失を、前記ユーザ端末から受信する受信部と、を有する。
【００１８】
本発明に係るユーザ端末は、移動通信システムにおけるユーザ端末であって、第１の基地局から、第２の基地局と自端末との間の伝搬損失の報告要求を受信する受信部と、前記第２の基地局からの参照信号受信電力を測定し、前記第２の基地局からのシステム情報に含まれる参照信号送信電力を取得した後、前記参照信号受信電力及び前記参照信号送信電力に基づいて推定される前記伝搬損失を前記第１の基地局に報告する報告部と、を有する。
【００１９】
本発明に係る通信制御方法は、第１の基地局と、前記第１の基地局よりもカバレッジエリアの狭い第２の基地局と、前記第１の基地局及び前記第２の基地局を管理する管理装置と、を有する移動通信システムにおける通信制御方法であって、前記第１の基地局が、前記第２の基地局の参照信号送信電力を前記管理装置から取得するステップＡと、前記第１の基地局に接続するユーザ端末が、前記第２の基地局からの参照信号受信電力を測定した後、前記参照信号受信電力を前記第１の基地局に報告するステップＢと、前記第１の基地局が、前記ステップＡで前記管理装置から取得した前記参照信号送信電力と、前記ステップＢで前記ユーザ端末から報告された前記参照信号受信電力と、に基づいて、前記第２の基地局と前記ユーザ端末との間の伝搬損失を推定するステップＣと、を有する。
【００２０】
本発明に係る基地局は、移動通信システムにおける基地局であって、他の基地局の参照信号送信電力を管理装置から取得する取得部と、前記管理装置から取得した前記参照信号送信電力と、前記ユーザ端末から報告される前記他の基地局からの参照信号受信電力と、に基づいて、前記他の基地局と前記ユーザ端末との間の伝搬損失を推定する推定部と、を有する。
【図面の簡単な説明】
【００２１】
【図１】第１実施形態〜第３実施形態に係る移動通信システムを示す。
【図２】第１実施形態〜第４実施形態に係るｅＮＢのブロック図である。
【図３】第１実施形態〜第４実施形態に係るＵＥのブロック図である。
【図４】第１実施形態に係る移動通信システムの動作シーケンス図である。
【図５】第２実施形態に係る移動通信システムの動作シーケンス図である。
【図６】第３実施形態に係る移動通信システムの動作シーケンス図である。
【図７】第４実施形態に係る移動通信システムを示す。
【図８】第４実施形態に係る移動通信システムの動作シーケンス図である。
【発明を実施するための形態】
【００２２】
図面を参照して、本発明の実施形態を説明する。以下の各実施形態に係る図面において、同一又は類似の部分には同一又は類似の符号を付す。
【００２３】
［第１実施形態］
図１は、本実施形態に係る移動通信システムを示す。本実施形態に係る移動通信システムは、ＬＴＥ  Ａｄｖａｎｃｅｄ（３ＧＰＰリリース１０以降）に基づいて構成される。
【００２４】
図１に示すように、移動通信システムは、大型のカバレッジエリアを形成するマクロ基地局（Ｍａｃｒｏ  ｅｖｏｌｖｅｄ  Ｎｏｄｅ−Ｂ：ＭｅＮＢ）１００−１と、小型のカバレッジエリアを形成するピコ基地局（Ｐｉｃｏ  ｅｖｏｌｖｅｄ  Ｎｏｄｅ−Ｂ：ＰｅＮＢ）１００−２と、を有する。図１では、ＭｅＮＢ１００−１のカバレッジエリア内に設置されたＰｅＮＢ１００−２を１つのみ図示しているが、複数のＰｅＮＢ１００−２がＭｅＮＢ１００−１のカバレッジエリア内に設置されていてもよい。ＭｅＮＢ１００−１及びＰｅＮＢ１００−２のそれぞれには、ユーザ端末（Ｕｓｅｒ  Ｅｑｕｉｐｍｅｎｔ：ＵＥ）が接続している。
【００２５】
以下において、ＭｅＮＢ１００−１に接続するＵＥをＭＵＥ２００−１と称し、ＰｅＮＢ１００−２に接続するＵＥをＰＵＥ２００−２と称する。また、ＭｅＮＢ１００−１及びＰｅＮＢ１００−２を特に区別しないときは単にｅＮＢ１００と称し、ＭＵＥ２００−１及びＰＵＥ２００−２を特に区別しないときは単にＵＥ２００と称する。
【００２６】
なお、接続とは、ＵＥ２００がｅＮＢ１００と同期した状態であって、当該ｅＮＢ１００から当該ＵＥ２００へ無線リソースを割り当て可能な状態を意味する。また、上りリンクとは、ＵＥ２００からｅＮＢ１００への通信方向を意味し、下りリンクとは、ｅＮＢ１００からＵＥ２００への通信方向を意味する。
【００２７】
ＭｅＮＢ１００−１及びＰｅＮＢ１００−２は、ＬＴＥの無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）に含まれる。本実施形態では、Ｅ−ＵＴＲＡＮは、ヘテロジーニアスネットワークとして構成されており、ＰｅＮＢ１００−２は、ＭｅＮＢ１００−１のカバレッジエリア内であって、例えば高トラフィック地帯（いわゆる、ホットゾーン）に配置される。
【００２８】
本実施形態では、ＭｅＮＢ１００−１は、異なる２つのキャリア（ＣＣ１、ＣＣ２）をサポートしており、当該２つのキャリア中から選択したキャリアを無線通信に使用できる。各キャリアは、周波数方向において複数のリソースブロック（ＲＢ）を含む。また、本実施形態では、ＰｅＮＢ１００−２は、１つのキャリア（ＣＣ１）をサポートしており、当該１つのキャリアを無線通信に使用する。上述したように、ＭｅＮＢ１００−１とＰｅＮＢ１００−２とが同一のキャリア（ＣＣ１）を使用し、且つＣＣ１を使用するＭＵＥ２００−１がＰｅＮＢ１００−２のカバレッジエリア端周辺に居ると、ＰｅＮＢ１００−２がＭＵＥ２００−１からの上りリンク干渉を受けることがある。
【００２９】
カバレッジエリアは、１又は複数のセルにより構成される。セルは、セルＩＤによって識別され、キャリア（ＦＤＤの場合は上りキャリア及び下りキャリア）と対応付けられる。なお、キャリアと当該キャリアを使用するｅＮＢ１００と当該ｅＮＢ１００のカバレッジエリアとを併せてセルと称することもある。このため、ＭｅＮＢ１００−１はマクロセルと称されることがあり、ＰｅＮＢ１００−２はピコセルと称されることがある。
【００３０】
ＵＥ２００は、通信中の状態に相当するコネクティッド（ＲＲＣ  Ｃｏｎｎｅｃｔｅｄ）状態において、接続先のセル（サービングセルと称される）を切り替えることができる。このようなサービングセルの切り替えは例えばハンドオーバによって実現される。ＵＥ２００のハンドオーバは、当該ＵＥ２００のサービングセルによって制御される。
【００３１】
ＭｅＮＢ１００−１とＰｅＮＢ１００−２との間には、隣接する基地局を相互接続するための論理通信路であるＸ２インターフェイスが設定される。また、ＬＴＥのコアネットワークであるＥＰＣ（Ｅｖｏｌｖｅｄ  Ｐａｃｋｅｔ  Ｃｏｒｅ）とＭｅＮＢ１００−１との間、及びＥＰＣとＰｅＮＢ１００−２との間には、ＥＰＣとの論理通信路であるＳ１インターフェイスが設定される。
【００３２】
次に、ｅＮＢ１００の構成を説明する。図２は、ｅＮＢ１００のブロック図である。図２に示すように、ｅＮＢ１００は、複数のアンテナ１０１と、無線通信部１１０と、ネットワーク通信部１２０と、記憶部１３０と、制御部１４０と、を含む。
【００３３】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。本実施形態では、無線通信部１１０は、複数のキャリアを同時に使用して無線通信を行うことができる。また、無線通信部１１０は、参照信号（Ｃｅｌｌ  ｓｐｅｃｉｆｉｃ  Ｒｅｆｅｒｅｎｃｅ  Ｓｉｇｎａｌ：ＣＲＳ）をセル毎に送信する。ネットワーク通信部１２０は、Ｘ２インターフェイス上で、隣接ｅＮＢとの基地局間通信を行う。また、ネットワーク通信部１２０は、Ｓ１インターフェイス上で、ＥＰＣとの通信を行う。記憶部１３０は、ｅＮＢ１００の制御等に用いられる各種の情報を記憶する。制御部１４０は、ｅＮＢ１００が備える各種の機能を制御する。
【００３４】
次に、ＵＥ２００の構成を説明する。図３は、ＵＥ２００のブロック図である。図３に示すように、ＵＥ２００は、アンテナ２０１と、無線通信部２１０と、記憶部２２０と、制御部２３０と、を含む。
【００３５】
アンテナ２０１は、無線信号の送受信に用いられる。無線通信部２１０は、例えばＲＦ回路やＢＢ回路等を用いて構成され、アンテナ２０１を介して無線信号を送受信する。記憶部２２０は、ＵＥ２００の制御等に用いられる各種の情報を記憶する。制御部２３０は、ＵＥ２００が備える各種の機能を制御する。
【００３６】
次に、図１に示す通信環境を例に、移動通信システムの動作を説明する。図４は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。なお、特に図示していないが、ＭｅＮＢ１００−１及びＰｅＮＢ１００−２のそれぞれは、ＣＲＳを常時ブロードキャストしている。
【００３７】
図４に示すように、ステップＳ１０１において、ＭＵＥ２００−１は、ＭｅＮＢ１００−１との無線通信を行う。ステップＳ１０２において、ＰｅＮＢ１００−２は、ＭＵＥ２００−１からの上りリンク信号によって干渉を受ける。
【００３８】
ＰｅＮＢ１００−２は、上りリンクの各リソースブロックについて干渉レベルを測定している。ステップＳ１０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。また、ＰｅＮＢ１００−２は、Ｏｖｅｒｌｏａｄ  Ｉｎｄｉｃａｔｏｒを通知する際に、自ｅＮＢ１００のＣＲＳの送信電力（ＲＳＴＰ）をＭｅＮＢ１００−１に通知する。ＲＳＴＰは、Ｏｖｅｒｌｏａｄ  Ｉｎｄｉｃａｔｏｒが格納されるメッセージであるＬｏａｄ  Ｉｎｆｏｒｍａｉｔｏｎメッセージに含めてもよい。
【００３９】
ＭｅＮＢ１００−１は、ＰｅＮＢ１００−２からのＯｖｅｒｌｏａｄ  Ｉｎｄｉｃａｔｏｒ及びＲＳＴＰを受信する。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。また、ＭｅＮＢ１００−１は、ＰｅＮＢ１００−２からのＲＳＴＰを記憶する。
【００４０】
ステップＳ１０４において、ＭｅＮＢ１００−１は、メジャメントレポート送信を指示するための測定設定情報をＭＵＥ２００−１に送信する。
【００４１】
ステップＳ１０５において、ＭＵＥ２００−１は、ＭｅＮＢ１００−１からの測定設定情報に応じて、受信可能なＣＲＳに基づいて、ＭｅＮＢ１００−１（サービングセル）及びＰｅＮＢ１００−２（隣接セル）のそれぞれについてＲＳＲＰを測定する。
【００４２】
ステップＳ１０６において、ＭＵＥ２００−１は、ステップＳ１０５で測定したＭｅＮＢ１００−１（サービングセル）及びＰｅＮＢ１００−２（隣接セル）のそれぞれについてのＲＳＲＰを含むメジャメントレポートをＭｅＮＢ１００−１に送信する。
【００４３】
ステップＳ１０７において、ＭｅＮＢ１００−１は、ステップＳ１０３でＰｅＮＢ１００−２から通知されたＲＳＴＰと、ステップＳ１０６で報告されたＰｅＮＢ１００−２についてのＲＳＲＰと、の差分に基づいて、ＰｅＮＢ１００−２とＭＵＥ２００−１との間の伝搬損失（Ｐａｓｓ  Ｌｏｓｓ：ＰＬ）を推定する。例えば、当該ＲＳＴＰから当該ＲＳＲＰを減じた値を補正した結果を、上りリンクのＰＬとして推定してもよい。
【００４４】
ステップＳ１０８において、ＭｅＮＢ１００−１は、ステップＳ１０７で推定したＰＬを予め設定されている閾値と比較する。当該閾値は、例えば、各ＰｅＮＢ１００−２のカバレッジエリア半径に応じた値に予め記憶されている。ステップＳ１０７で推定したＰＬが閾値を下回る場合（ステップＳ１０８；ＹＥＳ）、当該ＭＵＥ２００−１はＰｅＮＢ１００−２に近接している（すなわちＰｅＮＢ１００−２のカバレッジエリア端周辺に居る）可能性が高いため、ＭｅＮＢ１００−１は、ＰｅＮＢ１００−２に対する上りリンクの干渉源として特定する。そして、ステップＳ１０９において、ＭｅＮＢ１００−１は、当該ＭＵＥ２００−１をＭｅＮＢ１００−１の他のセル（他のキャリアＣ２）へハンドオーバする。あるいは、可能であれば、当該ＭＵＥ２００−１をＰｅＮＢ１００−２へハンドオーバしてもよい。
【００４５】
以上説明したように、本実施形態では、ＰｅＮＢ１００−２は、自局のＲＳＴＰをＭｅＮＢ１００−１に通知する。ＭＵＥ２００−１は、ＰｅＮＢ１００−２からのＲＳＲＰを測定した後、ＲＳＲＰをＭｅＮＢ１００−１に報告する。ＭｅＮＢ１００−１は、ＰｅＮＢ１００−２から通知されたＲＳＴＰと、ＭＵＥ２００−１から報告されたＲＳＲＰと、に基づいて、ＰｅＮＢ１００−２とＭＵＥ２００−１との間のＰＬを推定する。
【００４６】
このようにして得られたＰＬによって、ＰｅＮＢ１００−２とＭＵＥ２００−１との間の距離を求めることができるため、ＭＵＥ２００−１がＰｅＮＢ１００−２に近接しているか否かを精度よく判別でき、ＭＵＥ２００−１がＰｅＮＢ１００−２に対する上りリンクの干渉源であるか否かを精度よく推定できる。
【００４７】
本実施形態では、ＰｅＮＢ１００−２は、自局の上りリンク干渉レベルをＭｅＮＢ１００−１（隣接ｅＮＢ１００）に通知する際に、自局のＲＳＴＰをＭｅＮＢ１００−１に通知する。これにより、ＰｅＮＢ１００−２のＲＳＴＰがＰｅＮＢ１００−２の運用中に変更される場合であっても、現時点のＲＳＴＰをＭｅＮＢ１００−１に通知できるため、干渉源の推定精度を向上させることができる。
【００４８】
［第２実施形態］
以下において、第２実施形態について、第１実施形態との相違点を主として説明する。
【００４９】
図５は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。なお、特に図示していないが、ＭｅＮＢ１００−１及びＰｅＮＢ１００−２のそれぞれは、ＣＲＳを常時ブロードキャストしている。
【００５０】
図５に示すように、ステップＳ２０１及びステップＳ２０２は第１実施形態と同様である。
【００５１】
ステップＳ２０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。
【００５２】
ＭｅＮＢ１００−１は、ＰｅＮＢ１００−２からのＯｖｅｒｌｏａｄ  Ｉｎｄｉｃａｔｏｒを受信する。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。
【００５３】
ステップＳ２０４において、ＭｅＮＢ１００−１は、メジャメントレポート送信を指示するための測定設定情報をＭＵＥ２００−１に送信する。本実施形態では、ＭｅＮＢ１００−１は、ＭＵＥ２００−１に対し、システム情報ブロック・タイプ２（ＳＩＢ２）に含まれるＲＳＴＰの報告を要求する。詳細には、ＳＩＢ２中のＲａｄｉｏＲｅｓｏｕｒｃｅＣｏｎｆｉｇＣｏｍｍｏｎに含まれるＰＤＳＣＨ−ＣｏｎｆｉｇＣｏｍｍｏｎのｒｅｆｅｒｅｎｃｅＳｉｇｎａｌＰｏｗｅｒ（ＲＳＴＰ）の報告を要求する報告要求を測定設定情報に含める。なお、通常のメジャメントでは、ＭＵＥ２００−１は、サービングセル以外のセルのＳＩＢをデコードしないことに留意すべきである。
【００５４】
ステップＳ２０５において、ＰｅＮＢ１００−２は、ＲｅｆｅｒｅｎｃｅＰｏｗｅｒ（ＲＳＴＰ）を含むＳＩＢ２をブロードキャストで送信する。ＭＵＥ２００−１は、ステップＳ２０４でＭｅＮＢ１００−１から受信したＲＳＴＰ報告要求に応じて、ＰｅＮＢ１００−２からのＳＩＢ２を受信する。
【００５５】
ステップＳ２０６において、ＭＵＥ２００−１は、ステップＳ２０５で受信したＳＩＢ２をデコードし、ＳＩＢ２に含まれるＲＳＴＰを取得する。また、ＭＵＥ２００−１は、ステップＳ２０４でＭｅＮＢ１００−１から受信した測定設定情報に応じて、受信可能なＣＲＳに基づいて、ＭｅＮＢ１００−１（サービングセル）及びＰｅＮＢ１００−２（隣接セル）のそれぞれについてＲＳＲＰを測定する。
【００５６】
ステップＳ２０７において、ＭＵＥ２００−１は、ステップＳ２０６で測定したＭｅＮＢ１００−１（サービングセル）及びＰｅＮＢ１００−２（隣接セル）のそれぞれについてのＲＳＲＰと、ステップＳ２０６で取得したＲＳＴＰと、を含むメジャメントレポートをＭｅＮＢ１００−１に送信する。なお、ＭＵＥ２００−１は、ＲＳＴＰをメジャメントレポートとは別のレポートに含めてもよい。
【００５７】
ステップＳ２０８において、ＭｅＮＢ１００−１は、ステップＳ２０７でＭＵＥ２００−１から報告されたＰｅＮＢ１００−２についてのＲＳＲＰと、ステップＳ２０７でＭＵＥ２００−１から報告されたＲＳＴＰと、の差分に基づいて、ＰｅＮＢ１００−２とＭＵＥ２００−１との間のＰＬを推定する。例えば、当該ＲＳＴＰから当該ＲＳＲＰを減じた値を補正した結果を、上りリンクのＰＬとして推定してもよい。
【００５８】
ステップＳ２０９において、ＭｅＮＢ１００−１は、ステップＳ２０８で推定したＰＬを予め設定されている閾値と比較する。当該閾値は、例えば、各ＰｅＮＢ１００−２のカバレッジエリア半径に応じた値に予め記憶されている。ステップＳ２０８で推定したＰＬが閾値を下回る場合（ステップＳ２０９；ＹＥＳ）、当該ＭＵＥ２００−１はＰｅＮＢ１００−２に近接している（すなわちＰｅＮＢ１００−２のカバレッジエリア端周辺に居る）可能性が高いため、ＭｅＮＢ１００−１は、ＰｅＮＢ１００−２に対する上りリンクの干渉源として特定する。そして、ステップＳ２１０において、ＭｅＮＢ１００−１は、当該ＭＵＥ２００−１をＭｅＮＢ１００−１の他のセル（他のキャリアＣ２）へハンドオーバする。あるいは、可能であれば、当該ＭＵＥ２００−１をＰｅＮＢ１００−２へハンドオーバしてもよい。
【００５９】
以上説明したように、本実施形態では、ＰｅＮＢ１００−２は、自局のＲＳＴＰを含むＳＩＢ２をブロードキャストで送信する。ＭｅＮＢ１００−１は、ＭＵＥ２００−１に対し、ＳＩＢ２に含まれるＲＳＴＰの報告を要求する。ＭＵＥ２００−１は、ＰｅＮＢ１００−２からのＲＳＲＰを測定し、ＳＩＢ２に含まれるＲＳＴＰを取得した後、ＲＳＲＰ及びＲＳＴＰをＭｅＮＢ１００−１に報告する。ＭｅＮＢ１００−１は、ＭＵＥ２００−１から報告されたＲＳＲＰ及びＲＳＴＰに基づいて、ＰｅＮＢ１００−２とＭＵＥ２００−１との間のＰＬを推定する。
【００６０】
このようにして得られたＰＬによって、ＰｅＮＢ１００−２とＭＵＥ２００−１との間の距離を求めることができるため、ＭＵＥ２００−１がＰｅＮＢ１００−２に近接しているか否かを精度よく判別でき、ＭＵＥ２００−１がＰｅＮＢ１００−２に対する上りリンクの干渉源であるか否かを精度よく推定できる。
【００６１】
［第３実施形態］
以下において、第３実施形態について、上述した各実施形態との相違点を主として説明する。
【００６２】
図６は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。なお、特に図示していないが、ＭｅＮＢ１００−１及びＰｅＮＢ１００−２のそれぞれは、ＣＲＳを常時ブロードキャストしている。
【００６３】
図６に示すように、ステップＳ３０１及びステップＳ３０２は第１実施形態と同様である。
【００６４】
ステップＳ３０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。
【００６５】
ＭｅＮＢ１００−１は、ＰｅＮＢ１００−２からのＯｖｅｒｌｏａｄ  Ｉｎｄｉｃａｔｏｒを受信する。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。
【００６６】
ステップＳ３０４において、ＭｅＮＢ１００−１は、メジャメントレポート送信を指示するための測定設定情報をＭＵＥ２００−１に送信する。本実施形態では、ＭｅＮＢ１００−１は、ＭＵＥ２００−１に対し、Ｏｖｅｒｌｏａｄ  Ｉｎｄｉｃａｔｏｒの送信元セル（ＰｅＮＢ１００−２）との間のＰＬの報告を要求する。詳細には、ＰＬの報告要求を測定設定情報に含める。
【００６７】
ステップＳ３０５において、ＰｅＮＢ１００−２は、ＲｅｆｅｒｅｎｃｅＰｏｗｅｒ（ＲＳＴＰ）を含むＳＩＢ２をブロードキャストで送信する。ＭＵＥ２００−１は、ステップＳ３０４でＭｅＮＢ１００−１から受信したＰＬ報告要求に応じて、ＰｅＮＢ１００−２からのＳＩＢ２を受信する。
【００６８】
ステップＳ３０６において、ＭＵＥ２００−１は、ステップＳ３０５で受信したＳＩＢ２をデコードし、ＳＩＢ２に含まれるＲＳＴＰを取得する。また、ＭＵＥ２００−１は、ステップＳ３０４でＭｅＮＢ１００−１から受信した測定設定情報に応じて、受信可能なＣＲＳに基づいて、ＭｅＮＢ１００−１（サービングセル）及びＰｅＮＢ１００−２（隣接セル）のそれぞれについてＲＳＲＰを測定する。
【００６９】
ステップＳ３０７において、ＭＵＥ２００−１は、ステップＳ３０６で取得したＲＳＴＰと、ステップＳ３０６で測定したＰｅＮＢ１００−２についてのＲＳＲＰと、の差分に基づいて、ＰｅＮＢ１００−２とＭＵＥ２００−１との間のＰＬを推定する。例えば、当該ＲＳＴＰから当該ＲＳＲＰを減じた値を補正した結果を、上りリンクのＰＬとして推定してもよい。
【００７０】
ステップＳ３０８において、ＭＵＥ２００−１は、ステップＳ３０６で測定したＭｅＮＢ１００−１（サービングセル）及びＰｅＮＢ１００−２（隣接セル）のそれぞれについてのＲＳＲＰと、ステップＳ３０７で推定したＰＬと、を含むメジャメントレポートをＭｅＮＢ１００−１に送信する。なお、ＭＵＥ２００−１は、ＰＬをメジャメントレポートとは別のレポートに含めてもよい。
【００７１】
ステップＳ３０９において、ＭｅＮＢ１００−１は、ステップＳ３０８でＭＵＥ２００−１から報告されたＰＬを予め設定されている閾値と比較する。当該閾値は、例えば、各ＰｅＮＢ１００−２のカバレッジエリア半径に応じた値に予め記憶されている。ＭＵＥ２００−１から報告されたＰＬが閾値を下回る場合（ステップＳ３０９；ＹＥＳ）、当該ＭＵＥ２００−１はＰｅＮＢ１００−２に近接している（すなわちＰｅＮＢ１００−２のカバレッジエリア端周辺に居る）可能性が高いため、ＭｅＮＢ１００−１は、ＰｅＮＢ１００−２に対する上りリンクの干渉源として特定する。そして、ステップＳ３１０において、ＭｅＮＢ１００−１は、当該ＭＵＥ２００−１をＭｅＮＢ１００−１の他のセル（他のキャリアＣ２）へハンドオーバする。あるいは、可能であれば、当該ＭＵＥ２００−１をＰｅＮＢ１００−２へハンドオーバしてもよい。
【００７２】
以上説明したように、本実施形態では、ＰｅＮＢ１００−２は、自局のＲＳＴＰを含むＳＩＢ２をブロードキャストで送信する。ＭｅＮＢ１００−１は、自局に接続するＭＵＥ２００−１に対し、ＰｅＮＢ１００−２とＭＵＥ２００−１との間のＰＬの報告を要求する。ＭＵＥ２００−１は、ＰｅＮＢ１００−２からのＲＳＲＰを測定し、ＳＩＢ２に含まれるＲＳＴＰを取得した後、ＲＳＲＰ及びＲＳＴＰに基づいて推定されるＰＬをＭｅＮＢ１００−１に報告する。
【００７３】
このようにして得られたＰＬによって、ＰｅＮＢ１００−２とＭＵＥ２００−１との間の距離を求めることができるため、ＭＵＥ２００−１がＰｅＮＢ１００−２に近接しているか否かを精度よく判別でき、ＭＵＥ２００−１がＰｅＮＢ１００−２に対する上りリンクの干渉源であるか否かを精度よく推定できる。
【００７４】
［第４実施形態］
以下において、第４実施形態について、上述した各実施形態との相違点を主として説明する。本実施形態では、図７に示すように、ＭｅＮＢ１００−１及びＰｅＮＢ１００−２のそれぞれを管理する保守監視装置（Ｏｐｅｒａｔｉｏｎ  ａｎｄ  Ｍａｉｎｔｅｎａｎｃｅ：ＯＡＭ）３００は、ＭｅＮＢ１００−１及びＰｅＮＢ１００−２のそれぞれのＲＳＴＰを把握している。また、ＯＡＭ３００は、配下のｅＮＢ１００からの問い合わせに応じて、指定されたｅＮＢ１００（セル）のＲＳＴＰを通知する。
【００７５】
図８は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。なお、特に図示していないが、ＭｅＮＢ１００−１及びＰｅＮＢ１００−２のそれぞれは、ＣＲＳを常時ブロードキャストしている。
【００７６】
図８に示すように、ステップＳ４０１及びステップＳ４０２は第１実施形態と同様である。
【００７７】
ステップＳ４０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知された上りリンクの干渉がＭｅＮＢ１００−１に通知される。
【００７８】
ＭｅＮＢ１００−１は、ＰｅＮＢ１００−２からのＯｖｅｒｌｏａｄ  Ｉｎｄｉｃａｔｏｒを受信する。ＭｅＮＢ１００−１は、ＰｅＮＢ１００−２からのＯｖｅｒｌｏａｄ  Ｉｎｄｉｃａｔｏｒに基づいて、ＰｅＮＢ１００−２で上りリンク干渉が生じていることを把握する。
【００７９】
ステップＳ４０４において、ＭｅＮＢ１００−１は、メジャメントレポート送信を指示するための測定設定情報をＭＵＥ２００−１に送信する。
【００８０】
ステップＳ４０５において、ＭＵＥ２００−１は、ＭｅＮＢ１００−１からの測定設定情報に応じて、受信可能なＣＲＳに基づいて、ＭｅＮＢ１００−１（サービングセル）及びＰｅＮＢ１００−２（隣接セル）のそれぞれについてＲＳＲＰを測定する。
【００８１】
ステップＳ４０６において、ＭＵＥ２００−１は、ステップＳ４０６で測定したＭｅＮＢ１００−１（サービングセル）及びＰｅＮＢ１００−２（隣接セル）のそれぞれについてのＲＳＲＰを含むメジャメントレポートをＭｅＮＢ１００−１に送信する。
【００８２】
一方で、ステップＳ４０７において、ＭｅＮＢ１００−１は、ＯＡＭ３００に対し、Ｏｖｅｒｌｏａｄ  Ｉｎｄｉｃａｔｏｒの送信元セル（ＰｅＮＢ１００−２）のＲＳＴＰを問い合わせる。
【００８３】
ステップＳ４０８において、ＯＡＭ３００は、ステップＳ４０７での問い合わせに応じて、ＰｅＮＢ１００−２のＲＳＴＰをＭｅＮＢ１００−１に通知する。これにより、ＭｅＮＢ１００−１は、ＰｅＮＢ１００−２のＲＳＴＰを取得する。
【００８４】
ステップＳ４０９において、ＭｅＮＢ１００−１は、ステップＳ４０６で報告されたＰｅＮＢ１００−２についてのＲＳＲＰと、ステップＳ４０８でＯＡＭ３００から通知されたＲＳＴＰと、の差分に基づいて、ＰｅＮＢ１００−２とＭＵＥ２００−１との間のＰＬを推定する。例えば、当該ＲＳＴＰから当該ＲＳＲＰを減じた値を補正した結果を、上りリンクのＰＬとして推定してもよい。
【００８５】
ステップＳ４１０において、ＭｅＮＢ１００−１は、ステップＳ４０９で推定したＰＬを予め設定されている閾値と比較する。当該閾値は、例えば、各ＰｅＮＢ１００−２のカバレッジエリア半径に応じた値に予め記憶されている。ステップＳ４０７で推定したＰＬが閾値を下回る場合（ステップＳ４１０；ＹＥＳ）、当該ＭＵＥ２００−１はＰｅＮＢ１００−２に近接している（すなわちＰｅＮＢ１００−２のカバレッジエリア端周辺に居る）可能性が高いため、ＭｅＮＢ１００−１は、ＰｅＮＢ１００−２に対する上りリンクの干渉源として特定する。そして、ステップＳ４１１において、ＭｅＮＢ１００−１は、当該ＭＵＥ２００−１をＭｅＮＢ１００−１の他のセル（他のキャリアＣ２）へハンドオーバする。あるいは、可能であれば、当該ＭＵＥ２００−１をＰｅＮＢ１００−２へハンドオーバしてもよい。
【００８６】
以上説明したように、本実施形態では、ＭｅＮＢ１００−１は、ＰｅＮＢ１００−２のＲＳＴＰをＯＡＭ３００から取得する。ＭＵＥ２００−１は、ＰｅＮＢ１００−２からのＲＳＲＰを測定した後、ＲＳＲＰをＭｅＮＢ１００−１に報告する。ＭｅＮＢ１００−１は、ＯＡＭ３００から取得したＲＳＴＰと、ＭＵＥ２００−１から報告されたＲＳＲＰと、に基づいて、ＰｅＮＢ１００−２とＭＵＥ２００−１との間のＰＬを推定する。
【００８７】
このようにして得られたＰＬによって、ＰｅＮＢ１００−２とＭＵＥ２００−１との間の距離を求めることができるため、ＭＵＥ２００−１がＰｅＮＢ１００−２に近接しているか否かを精度よく判別でき、ＭＵＥ２００−１がＰｅＮＢ１００−２に対する上りリンクの干渉源であるか否かを精度よく推定できる。
【００８８】
［その他の実施形態］
この開示の一部をなす論述及び図面はこの発明を限定するものであると理解すべきではない。この開示から当業者には様々な代替実施形態、実施例及び運用技術が明らかとなる。
【００８９】
例えば、上述した各実施形態は、別個独立に実施する場合に限らず、相互に組み合わせて実施してもよい。
【００９０】
また、上述した各実施形態においてＸ２インターフェイス上で送受信されていた情報は、ＥＰＣを介してＳ１インターフェイス上で送受信してもよい。
【００９１】
さらに、上述した各実施形態においては、ＭｅＮＢ及びＰｅＮＢの組み合わせを例に説明したが、ＭｅＮＢ及びフェムトセル（ＨｅＮＢ）の組み合わせであってもよく、ＰｅＮＢ及びフェムトセル（ＨｅＮＢ）の組み合わせであってもよい。
【００９２】
なお、米国仮出願第６１／５５５２７１号（２０１１年１１月３日出願）の全内容が、参照により、本願明細書に組み込まれている。
【産業上の利用可能性】
【００９３】
以上のように、本発明は、上りリンク干渉の干渉源の推定精度を向上させることができるので、移動通信などの無線通信分野において有用である。
【図１】
2013065840.tif 000003
【図２】
2013065840.tif 000004
【図３】
2013065840.tif 000005
【図４】
2013065840.tif 000006
【図５】
2013065840.tif 000007
【図６】
2013065840.tif 000008
【図７】
2013065840.tif 000009
【図８】
2013065840.tif 000010
【国際調査報告】
2013065840.tif 000011
2013065840.tif 000012
2013065840.tif 000013
2013065840.tif 000014